(57)【要約】  拘縮対策具(１)は、容易に握らせることができかつ掌の中に通気空間を確保して掌の蒸れを防止することができるように、内部において相互に連通するとともに表面に開口する空隙が形成された三次元の立体構造を有する弾性体からなるクッション材(２，２１)と、該クッション材(２，２１)を被覆する被覆部材(３)を有する。クッション材(２)として、伸縮性を有する樹脂製の複数の線条が立体的で不規則に絡まって部分的に融着されて一体化した立体網状構造体を用いることができ、また、この拘縮対策具(１)を握った際に、指を挿入する指挿入部材(５)と、親指以外の隣接する指同士が接触することを防止する離間部材(７)とを設けることもできる。
2014010676.tif 000002
【特許請求の範囲】
【請求項１】
内部において相互に連通するとともに表面に開口する空隙が形成された三次元の立体構造を有する弾性体からなるクッション材と、該クッション材を被覆する被覆部材を有することを特徴とする拘縮対策具。
【請求項２】
前記クッション材として、伸縮性を有する樹脂製の複数の線条が立体的で不規則に絡まって部分的に融着されて一体化した立体網状構造体を用いたことを特徴とする請求項１記載の拘縮対策具。
【請求項３】
前記拘縮対策具を握った際に、指を挿入する指挿入部材と、親指以外の隣接する指同士が接触することを防止する離間部材との少なくとも一つを設けたことを特徴とする請求項１記載の拘縮対策具。
【請求項４】
前記拘縮対策具を握った際に、指を挿入する指挿入部材と、親指以外の隣接する指同士が接触することを防止する離間部材との少なくとも一つを設けたことを特徴とする請求項２記載の拘縮対策具。
【発明の詳細な説明】
【技術分野】
【０００１】  本発明は、拘縮対策具に関する。
【背景技術】
【０００２】  脳梗塞などにより上位運動系に障害があると、反射の亢進、筋緊張の亢進、拘縮などが起こってくる。特に、手や前腕では屈筋がよく発達しているので、網様体脊髄神経路等を介して屈筋の興奮が高まると、屈曲反射の増大、屈筋の拘縮が起こると考えられている。  そして、手の指が拘縮し、手を握りこんだままの状態にしておくと、手指の拘縮が進行して爪が掌に食い込んでしまったり、手を握りこんだままの状態でいることから、掌が発汗により蒸れたり、またそのために臭気が発生してしまったりする。【０００３】  この手の指が拘縮した人に握らせる拘縮対策具として、手の平の一部に当接する塊部と、該塊部にそれぞれの基部が連結され、隣り合う手の指の付け根部の間に嵌入する複数の突出部とを有し、塊部と突出部の内部には球状の発泡材やビーズが多数充填されているものが知られている。
【発明の概要】
【発明が解決しようとする課題】
【０００４】  従来の上記拘縮対策具では、拘縮対策具を握った際に掌や手指への刺激を低減するために発泡材等をクッション材として使用しているが、この発泡材同士の隙間は少なく通気性があまりよくない。また、発泡材は保温性を有するために、長時間握っていると熱がこもって発汗が促進され、逆効果になるという問題もある。【０００５】  更に、この発泡材は、拘縮した手指に拘縮対策具を握らせる際に拘縮対策具を変形させる必要があるため、発泡材が移動できる程度の密度で充填されている。そのため、上記拘縮対策具を握ると、発泡材が拘縮対策具の両端に移動してしまい掌の中にはあまり発泡材が存在せず、握った手の内側にクッション材が存在しないこととなり、爪が掌に食い込むことを防止することはあまり期待できないという問題がある。【０００６】  上記のように、手指が拘縮した人の掌の蒸れを防止する適切な器具はなく、タオルを巻いたものを握らせているのが現状である。しかしこの場合、タオルの吸水力はあまり高くないためタオルを頻繁に交換する必要があり、介護する人間の手間を増加させる。また、タオルはあまり潰れないために、手指の拘縮が進んで手指が開きにくくなると、タオルを握らせにくくなるという問題がある。【０００７】  そこで、本発明は、手指の拘縮が進んで手指が開きにくい人にも容易に握らせることができ、かつ、握った掌の中に通気空間を確保し掌の蒸れを防止することができる拘縮対策具を提供することを目的とするものである。
【課題を解決するための手段】
【０００８】  上記課題を解決するため、本発明の拘縮対策具は、内部において相互に連通するとともに表面に開口する空隙が形成された三次元の立体構造を有する弾性体からなるクッション材と、該クッション材を被覆する被覆部材を有することを特徴とする。【０００９】  また本発明では、クッション材として、伸縮性を有する樹脂製の複数の線条が立体的で不規則に絡まり部分的に融着されて一体化した立体網状構造体を用いてもよい。  さらに本発明では、この拘縮対策具を握った際に、指を挿入する指挿入部材と、親指以外の隣接する指同士が接触することを防止する離間部材を設けてもよい。
【発明の効果】
【００１０】  本発明では、拘縮対策具のクッション材として、内部において相互に連通するとともに表面に開口する空隙が形成された三次元の立体構造を有する弾性体を用いたことにより拘縮対策具に通気空間を設けることができ、この拘縮対策具を使用することにより、掌の蒸れを防止し感染症や臭気の発生を抑制することができる。  また、クッション材として空隙率の大きな立体網状構造体を用いて、より掌の蒸れを防止し、臭気の発生を抑制することができる。  更に、親指以外の隣接する指同士が接触することを防止する離間部材を設けて、指間に褥瘡が生じることを防止できる。
【図面の簡単な説明】
【００１１】
【図１】本発明の実施例１に係る拘縮対策具１の正面図。
【図２】実施例１の拘縮対策具１に用いるクッション材２の斜視図。
【図３】図２の実施例１のクッション材２の正面図。
【図４】図２の実施例1のクッション材２の左側面図。
【図５】本発明の実施例２に係る拘縮対策具１の斜視図。
【図６】図５の実施例２の拘縮対策具１の正面図。
【図７】図５の実施例２の拘縮対策具１の左側面図。
【図８】図５の実施例２の拘縮対策具１の使用状態を示す図。
【図９】本発明の実施例５に係る拘縮対策具１に用いるクッション材２１の斜視図。
【図１０】図９の実施例５のクッション材２１の正面図。
【図１１】図９の実施例５のクッション材２１の左側面図。
【発明を実施するための形態】
【００１２】  本発明による実施例を添付の図に基づいて説明する。  ［実施例１］
【００１３】  図１は本発明の実施例1に係る拘縮対策具１の正面図を示す。  本実施例では、拘縮対策具１はクッション材２と該クッション材２を被覆する被覆部材３とを有する。
【００１４】  クッション材２は、その内部において相互に連通するとともに表面に開口する空隙が形成された三次元の立体構造を有する弾性体からなるものである。該クッション材２として、実施例１においては、図２〜図４に示すように、樹脂、例えば熱可塑性樹脂からなる伸縮性を有する材料により長尺に連続した線条２ａが多数本立体的に不規則に絡み合って、その相互の接触部が溶着され、線条２ａ間に空隙２ｂが形成された立体網状構造体を用いた。この立体網状構造体は、例えば特公昭５０−３９１８５号公報にその製法の１例が開示されている。
【００１５】  クッション材２である立体網状構造体の原料は、ポリエチレン、ポリプロピレンなどのポリオレフィン、ポリエチレンテレフタレートなどのポリエステル、ナイロン６６などのポリアミド、ポリ塩化ビニル、ポリスチレン、これらの樹脂をベースとし共重合したコポリマーやエラストマー、ＥＶＡ樹脂（エチレン酢酸ビニルコポリマー）、ＥＭＭＡ樹脂（エチレン・メチルメタクリレートコポリマー）、上記各種の樹脂を混合したものなどである。これらの原料のうち、好ましいのはＥＶＡ樹脂や低密度ポリエチレンやポリエステルである。
【００１６】  クッション材２の空隙率としては７５〜９５％が好ましく、本実施例では８５％とし、クッション材２を構成する線条２ａの線径としては０．１〜１．０ｍｍが好ましく、本実施例では０．５ｍｍとし、また反発力としては０．２〜２．０ｋｇｆ／ｍｍが好ましく、本実施例では０．５０ｋｇｆ／ｍｍとした。このように設定することで、クッション材２を握った感じが、人の腕等を握った感じに近くなり、握り心地が良いものとなる。
【００１７】  クッション材２は、図２〜図４に示すように、その軸に直交する断面が円形若しくは楕円形の円柱状に形成されている。該クッション材２の大きさは、手で握ることができれば任意に設定でき、好ましくは、その直径は２０ｍｍ〜１００ｍｍであり、本実施例では３０〜４０ｍｍに設定した。
【００１８】  被覆部材３は、図１に示すように、クッション材２全体を被覆するように設けられている。該被覆部材３は、通気性があり吸水性が低く速乾性のある布地素材で構成することが好ましい。本実施例の被覆部材３はポリエステル繊維からなり、ネット状に編成された布地の表編地と裏編地と、この表編地と裏編地間を往来するように編み込まれた連結糸とを有し、該連結糸を介して表編地及び裏編地が所定の厚み間隔を保って連結されるダブルラッセル編地で構成した。  被覆部材３の表面には、リン酸チタニア系無光触媒（特許第３８２９６４０号）や光触媒等を塗布しても良い。
【００１９】  拘縮対策具１は、手の指が拘縮した人に握らせることにより手の指の拘縮の進行を抑えるとともに、爪が掌に食い込むことを防止することができる。
【００２０】  また拘縮対策具１に用いたクッション材２は立体網状構造体で空隙率が７５〜９５％と大きく、その空隙を空気が流通することができるため通気性が良く、更に、被覆部材３もダブルラッセル編地を用いたため通気性が良いので、握った掌の中に通気空間を形成することができ、掌の蒸れを防止でき、その蒸れを防止することで、水虫等の皮膚病の発生も抑制し臭気の発生も低減することができる。
【００２１】  さらに拘縮対策具１に用いたクッション材２は、立体網状構造体で空隙率が７５〜９５％と大きいため小さく変形させることができ、手指の拘縮が進行して手指が開きにくくなった人でも容易に握らせることができる。またクッション材２を立体網状構造体で構成したことで、弾性を有するとともに一体化していて元の形へ復元することができるため、上記従来技術の拘縮対策具とは異なり、拘縮対策具１を小さく変形させて使用者に握らせた後確実に復元して、掌に通気空間を確実に形成することができる。
【００２２】  クッション材２を樹脂製の立体網状構造体で構成し、被覆部材３等をダブルラッセル編地で構成したことにより、拘縮対策具１は吸水性が低く通気性が高いために、拘縮対策具１を丸洗いした後の乾燥が短時間で済む。また拘縮対策具１の表面に水虫等の皮膚病を治療する等の薬を塗布した場合にも、拘縮対策具１の吸水性が低いため拘縮対策具にはつきにくく、効率よく薬を患部に提供することができる。
【００２３】  また、クッション材２は立体網状構造体であるため、その端面に複数の線条２ａがでるが、そのクッション材２を弾性を有するダブルラッセル編地で覆うことにより、拘縮対策具１を握った際に力を分散させて、掌の一部分に力が集中することを抑えることができる。
【００２４】  線条２ａの線径：０．５ｍｍ、空隙率：８５％、反発力：０．５４±０．０３ｋｇｆ／ｍｍの特性を有する直径３３ｍｍのクッション材２を用いた拘縮対策具１を、手指が拘縮した２０人程が使用したところ、次のような事象が認められた。
【００２５】  従来は、手指が拘縮した人に物を握らせると手指の拘縮が促進されてしまい、物を握らせないほうがよいという学説もあったが、本発明の実施例1に係る拘縮対策具１を使用したところ、早い人で１週間、遅くとも１ヶ月後には、掌の皮膚の状態が改善されると共に手指の拘縮が改善され、使用前はその指を開くことが困難であったものが、介護者がその指を容易に開くことが出来るようになった。この手指の拘縮の改善は、球状の発泡材やビーズを使用した従来の拘縮対策具やタオルを使用した際には認められなかった効果である。また、手指の拘縮が改善された後に、ビーズを使用した従来の拘縮対策具やタオルを使用した場合には、拘縮の状態が悪化してしまうという事象が認められた。本発明の拘縮対策具１は常時使用することが望ましい。
【００２６】  更に、手指の拘縮の緩和に伴い、腕や上腕や肩等の拘縮も改善するという事象や、言語を発することが困難であった人が簡単な言語を発することが出来るようになったという事象も認められた。
【００２７】  本発明の拘縮対策具１のクッション材２は樹脂製の立体網状構造体で構成されていることにより、該拘縮対策具１が三次元反発力（復元力）と弾力性を有しているため、この拘縮対策具１を握ると、拘縮対策具１の三次元反発力により手指を開く方向に力が作用する。
【００２８】  また、手指が拘縮している人が本発明の拘縮対策具１を使用した場合、手指の拘縮により、該拘縮対策具１を強く握れば握るほど、その反発力により手指が伸展方向の力を受けて、屈筋が弛緩し、伸筋が緊張し、２４時間手指のリハビリ（ストレッチ）を行っていることと同様の効果を得られていると推測される。また、手指が拘縮している場合には拘縮により拘縮対策具１を常に握り込むこととなるため、握っている間は連続して手のリハビリを行っている状態となっていると推測される。
【００２９】  そのため、今まで屈筋が最大限に緊張していたものが、無意識の内に手指を動かすことが出来るようになる。その結果、屈筋の緊張が緩み、手指の伸展、手指間の拡大が起き、腕の運動可動領域の拡大にもつながっていくと推測される。
【００３０】  また、手には多くの神経があり、本発明の拘縮対策具１を握ることでその三次元反発力等により、手に対し一定ではない種々様々な刺激が付与されて脳が活性化されたことにより、拘縮の改善や言語を発することが困難であった人が簡単な言語を発するという事象が生じたのではないかと推測される。
【００３１】  この拘縮の改善により介護に必要な時間が短縮され、介護現場の負担を軽減することが出来る。また拘縮内面の皮膚の状態が改善されることで薬物費用や塗布時間も軽減できる。
【００３２】  本発明の拘縮対策具１は、拘縮対策具の用途以外にも日常使用することで拘縮になることを抑制する拘縮予防器具としても有効である。また、この拘縮対策具１を握ることで脳内を活性化させることから、リハビリ用の器具や乳幼児から高齢者まで幅広い年代における脳活性化器具や幼児用の知育玩具、ボケ防止用器具などとしても利用することが出来る。  ［実施例２］
【００３３】  実施例２の拘縮対策具１は、図5-図7に示すように、実施例１の拘縮対策具１に対して、指挿入部材５と離間部材７を追加したものである。  被覆部材３には、図５，図６に示すように、親指以外の夫々の指を挿入する指挿入部材５が、クッション材２の円柱形状軸方向に４個連続して設けられている。該指挿入部材５は、図６に示すように、布地素材を指が挿入できるように逆Ｕ字状に形成し、その両端部を被覆部材３に縫接することにより形成されている。指挿入部材５は、通気性があり吸水性が低く速乾性のある素材で構成することが好ましい。本実施例では、実施例１の被覆部材３と同様のダブルラッセル編地で構成した。また、指挿入部材５の指挿入穴５ａは、夫々、親指以外の指が挿入できるだけの大きさであれば任意に設定してよく、指挿入部材５の厚みも任意に設定することができる。なお、本実施例では指挿入部材５を４個設けたが、２個や３個、あるいは連続した波形の１個など、任意の数に設定することができる。
【００３４】  夫々の隣接する指挿入部材５と５の間には、親指以外の隣接する指同士の接触を防止する前記離間部材７が介在して設けられ、該離間部材７は、図５，図７に示すように、指挿入穴５ａの挿通方向において指挿入部材５に対しその両側に突出するように設けられている。離間部材７は、指挿入部材５，５間で被覆部材３の近傍部分のみ指挿入部材５に縫接されている。これにより、離間部材７の指挿入部材５の両側に突出した部分は、被覆部材３に対して固設されておらず、自由に折り曲げることができるようになっている。
【００３５】  図７に示す離間部材７の高さＨは、図８に示すように、拘縮対策具１を握った際に、手指の隙間から突出する高さにすることが好ましい。また、図７の離間部材７における指挿入穴５ａの挿通方向の長さＬは、拘縮対策具１を握った際に、少なくとも隣接する指の間で、その指の略全体に離間部材７が位置する長さにすることが好ましい。
【００３６】  離間部材７の被覆部材３側の端部（図７における下端面）７ａは、図７に示すように、指挿入部材５がクッション材２（被覆部材３）から上方に垂直に立設する位置において、図７の側面図におけるクッション材２の１２時の位置から、時計回り及び反時計回りに夫々７５度の位置となるように設定されている。また、離間部材７の被覆部材３とは反対側の端部（図７における上端面）は、指挿入部材５の指挿通方向と略平行になるように形成されている。また、離間部材７における指挿入部材５の指挿通方向の両側端は、その被覆部材３とは反対側の端部（上端面）に対して略直交するように設定されている。
【００３７】  離間部材７は、通気性があり吸水性が低く速乾性のある素材で構成することが好ましい。本実施例では上記被覆部材３と同様のダブルラッセル編地を折り曲げて２重にして構成した。
【００３８】  その他の構造は、実施例１と同様であるため、その説明を省略する。  本実施例においても、実施例１と同様の作用効果を発揮する。
【００３９】  本実施例では、更に、親指以外の隣接する指同士が接触することを防止する離間部材７を設けたことにより、指同士の接触を抑制し指間に褥瘡が生じることを防止できる。  また、離間部材７の高さＨを、拘縮対策具１を握った際に、指相互の隙間から突出する高さとしたことでその位置を容易に把握でき、介護者が離間部材７の位置を容易に修正することができる。  また離間部材７は指挿入部材５に対して縫接され、被覆部材３に対しては結合されておらず、離間部材７は挿通方向両端でどちらも変形可能で、握る際に指を挿通してもその指の股に当たって折れ曲がるため、指挿入部材５における指挿入穴５ａの両側のいずれからも手指を挿入することができる。  なお、本実施例では指挿入部材５と離間部材７を共に設けたが、この指挿入部材５と離間部材７の何れか一方のみを設けてもよい。［実施例３］
【００４０】  実施例１，２では、拘縮対策具を手指の拘縮対策具として説明したが、本発明に係るこの拘縮対策具は、実施例３として適当なサイズのものに形成し、これを脇や、膝裏等の関節部や、両脚の間、例えば両膝の間に挟むように構成する。これにより、上記の手指の場合と同様に、挟んだ部位に通気空間を形成し、その部位の蒸れを解消するとともに、臭気の発生を抑制することもできる。  本実施例においても、実施例１，２と同様に、拘縮の改善やリハビリ効果等を発揮する。  更に、本実施例においては、脚が拘縮した人が拘縮対策具１を両膝の間や膝裏等に挟むことにより股関節や膝の拘縮が緩和し、その可動域が広がることにより褥瘡が生じることを予防することが出来る。［実施例４］
【００４１】  実施例１乃至３の拘縮対策具１のクッション材２は立体網状構造体を円柱状に形成したものであるが、このクッション材は立体網状構造体で構成されていれば形状は任意のものとすることが出来る。また、被覆部材はクッション材全体を覆うようにクッション材の形状に対応した形状に成形する。
【００４２】  本発明の拘縮対策具は、手指が拘縮した人の場合には手で握ったり、腕が拘縮した人の場合には脇や上腕と胸との間に挟んだり、脚が拘縮した人の場合には両膝の間や膝裏等に挟んだり、様々な部位に挟むことにより、その部位に通気空間を形成して蒸れを解消するとともに、実施例１と同様に、その部位のリハビリ効果も期待できる。そのため、挟む部位に応じてクッション材及び被覆部材はその部位に挟むことができる任意の形状に成形することが好ましい。
【００４３】  本実施例においても、実施例１〜３と同様の作用効果を発揮することが出来る。［実施例５］
【００４４】  実施例１〜４においては拘縮対策具のクッション材２に立体網状構造体を用いたが、内部で相互に連通するとともに表面に開口する空隙が形成された三次元の立体構造、すなわち、その内部で相互に連通するとともに表面に形成された複数の開口部と連通する空隙（空間）が形成された三次元の立体構造を有する弾性体であれば任意のものを用いることができる。この弾性体の反発力としては、０．２〜２．０ｋｇｆ／ｍｍであることが好ましい。  この三次元の立体構造を有する弾性体として、例えば、図９〜図１１に示すように、ポリウレタン等の樹脂を発泡させた後に、セル間の膜の少なくとも一部を取り除いて連通する空隙２１ａを形成した無膜フォーム２１を用いることが出来る。  本実施例においても、実施例１乃至４と同様の作用効果を発揮することが出来る。
【符号の説明】
【００４５】  １  拘縮対策具  ２，２１  クッション材  ２ａ  線条  ３  被覆部材  ５  指挿入部材  ７  離間部材
【図１】
2014010676.tif 000003
【図２】
2014010676.tif 000004
【図３】
2014010676.tif 000005
【図４】
2014010676.tif 000006
【図５】
2014010676.tif 000007
【図６】
2014010676.tif 000008
【図７】
2014010676.tif 000009
【図８】
2014010676.tif 000010
【図９】
2014010676.tif 000011
【図１０】
2014010676.tif 000012
【図１１】
2014010676.tif 000013
【手続補正書】
【提出日】平成27年10月23日(2015.10.23)
【手続補正１】
【補正対象書類名】特許請求の範囲
【補正対象項目名】全文
【補正方法】変更
【補正の内容】
【特許請求の範囲】
【請求項１】
伸縮性を有する複数の樹脂製の線条が立体的で不規則に絡まって部分的に融着されて一体化した立体網状構造体と、該立体網状構造体を被覆する被覆部材を有することを特徴とする拘縮対策具。
【請求項２】
前記拘縮対策具を握った際に、指を挿入する指挿入部材と、親指以外の隣接する指同士が接触することを防止する離間部材の少なくとも一つを設けたことを特徴とする請求項１記載の拘縮対策具。
【手続補正２】
【補正対象書類名】明細書
【補正対象項目名】０００８
【補正方法】変更
【補正の内容】
【０００８】
上記課題を解決するため、本発明の拘縮対策具は、伸縮性を有する複数の樹脂製の線条が立体的で不規則に絡まって部分的に融着されて一体化した立体網状構造体と、該立体網状構造体を被覆する被覆部材を有することを特徴とする。
【手続補正３】
【補正対象書類名】明細書
【補正対象項目名】０００９
【補正方法】変更
【補正の内容】
【０００９】
更に、本発明では、この拘縮対策具を握った際に、指を挿入する指挿入部材と、親指以外の隣接する指同士が接触することを防止する離間部材の少なくとも一つを設けてもよい。
【国際調査報告】
2014010676.tif 000014
2014010676.tif 000015